(57)【要約】【課題】この発明は、スラブに応じた角度で該スラブを安定して支持することができるスラブ支持構造の提供を目的とする。【解決手段】スラブ支持構造１０を構成する支柱２０の上端部に固定された受け部２３と、柱頭リング３０の中心部に固定された芯部材３５の突出部３６とを嵌合した後、受け部２３と突出部３６との嵌合部分を中心として、柱頭リング３０を、スラブＢの勾配と対応する傾き方向及び傾き角度に回動調節した後、受け部２３と突出部３６とを一体的に溶接して、スラブＢの勾配と対応する傾き方向及び傾き角度で回動不可に固定する。これにより、勾配付きのスラブＢを安定して支持することができる。【選択図】図１
2012012857.tif 000002
【特許請求の範囲】
【請求項１】
スラブを支柱により支持するために用いられるスラブ支持構造において、
前記支柱の上端部に固定される芯部材と、該芯部材と同心状に配置された上下一対の円環状平板と、該芯部材と同心状で前記一対の円環状平板の間に配置された円筒板と、該芯部材を中心として放射状に配置された複数の支持板とを一体的に接合して柱頭リングを構成し、
前記支柱の上端部を、前記柱頭リングの中心部に配置された芯部材の下端部に固定した
スラブ支持構造。
【請求項２】
前記支柱の上端部と前記芯部材の下端部とに、互いに嵌合する凹部と凸部とを設け、
前記凹部と凸部とを互いに嵌合して、前記支柱の上端部に対し前記柱頭リングを所望する方向及び角度に回動自在に連結した
請求項１に記載のスラブ支持構造。
【請求項３】
前記柱頭リングの中央部に、前記芯部材を中心として開口部を上下方向に開口した
請求項１又２に記載のスラブ支持構造。
【請求項４】
前記開口部の内周面を、該開口部の下端側周縁部から上端側周縁部に向けて徐々に小径となる円錐形状に形成した
請求項３に記載のスラブ支持構造。
【請求項５】
前記芯部材を、該芯部材の上端部から下端部に向けて徐々に大きくなる形状に形成した
請求項１〜４いずれか一つに記載のスラブ支持構造。
【請求項６】
前記柱頭リングよりも下方の前記支柱の外周に、該柱頭リングの下面側に向けて前記支柱と同心状にリング状の照明手段を設けた
請求項１〜５のいずれか一つに記載のスラブ支持構造。
【発明の詳細な説明】
【技術分野】
【０００１】
この発明は、スラブを支持するために用いられるスラブ支持構造に関する。
【背景技術】
【０００２】
従来、前記スラブを支持するための構造として、例えば既に提案済みのフラットスラブ構造（特許文献１参照）には、コンクリート製のスラブを直接鋼管コンクリート柱で支持するフラットスラブ構造が開示されている。  
詳述すると、スラブを貫通する鋼管コンクリート柱の外周部に、所定間隔を設けて上下に配した一対の円環状平板を放射状のＨ形鋼材で直接連結固定して補強材を構成し、該補強材を埋込んでスラブコンクリートを等厚に打設してなる構造である。
【０００３】
しかし、特許文献１のフラットスラブ構造は、鋼管コンクリート柱の外周部に対し補強材を固定する構造であるので、例えば勾配付きのスラブを支持する場合、補強材を、鋼管コンクリート柱の外周部に対しスラブの勾配と対応する角度に傾けて固定しなければならず、補強材を固定する作業に手間及び時間が掛かる。また、鋼管コンクリート柱を中心として放射状に配列されたＨ形鋼材の長さや形状が不揃いとなるため、補強材の強度が部分的に弱くなる。このため、スラブを支持した際、補強材の強度が弱い部分に対し応力が集中することになり、スラブを安定して支持することができないという問題がある。
【先行技術文献】
【特許文献】
【０００４】
【特許文献１】特公平７−３９７０５号公報
【発明の概要】
【発明が解決しようとする課題】
【０００５】
この発明は、スラブに応じた角度で該スラブを安定して支持することができるスラブ支持構造を提供することを目的とする。
【課題を解決するための手段】
【０００６】
この発明は、コンクリート製のスラブを支柱により支持するスラブ支持構造であって、前記支柱の上端部に固定される芯部材と、該芯部材と同心状に配置された上下一対の円環状平板と、該芯部材と同心状で前記一対の円環状平板の間に配置された円筒板と、該芯部材を中心として放射状に配置された複数の支持板とを一体的に接合して柱頭リングを構成し、前記支柱の上端部を、前記柱頭リングの中心部に配置された芯部材の下端部に固定したスラブ支持構造であることを特徴とする。
【０００７】
上記構成によれば、スラブ支持構造を、例えば建物の基礎部に立てられる支柱の上端部を、スラブに埋め込まれる柱頭リングの芯部材の下端部に固定して構成している。  
つまり、上記構成のスラブ支持構造により、例えば勾配付きのスラブ、フラットなスラブ等を支持する場合、スラブの施工角度に応じて、柱頭リングの全体を所望する方向及び角度に向けて支柱の上端部に固定する。この結果、スラブを支持した際に付加される応力が柱頭リングの一部に集中することがなく、柱頭リングの全体に対し分散して付加されるので、柱頭リングの構造的強度を一定に保つことができる。  
これにより、スラブを支持するための強度を保つことができるとともに、スラブに応じた角度で該スラブを安定して支持することができる。
【０００８】
また、この発明の態様として、前記支柱の上端部と前記芯部材の下端部とに、互いに嵌合する凹部と凸部とを設け、前記凹部と凸部とを互いに嵌合して、前記支柱の上端部に対し前記柱頭リングを所望する方向及び角度に回動自在に連結することができる。  
上記構成によれば、柱頭リングを、例えば前後方向、左右方向、斜め方向等の所望する方向及び角度に回動することができる。  
これにより、柱頭リングを、スラブに応じた方向及び角度で固定することができる。また、支柱に発生する曲げ応力を低減することもできる。
【０００９】
また、この発明の態様として、前記柱頭リングの中央部に、前記芯部材を中心として開口部を上下方向に開口することができる。  
上記構成によれば、柱頭リングを、例えば建物の天井部を構成するスラブに埋め込むことにより、柱頭リングの開口部（例えば窓部）を、建物外部に面するスラブの上面と、該建物内部に面するスラブの下面とに開口することができる。  
これにより、建物の内部を、柱頭リングの開口部から採光される光（例えば太陽光）を利用して明るく照らすことができる。
【００１０】
また、この発明の態様として、前記開口部の内周面を、該開口部の下端側周縁部から上端側周縁部に向けて徐々に小径となる円錐形状に形成することができる。  
上記構成によれば、柱頭リングの開口部に対し上方から入光する光は、該開口部の内周面によって下方に向けて反射される。また、開口部に対し下方から入光する光は、該開口部の内周面によって上方に向けて反射される。  
これにより、柱頭リングの上方及び下方を明るく照らすことができる。
【００１１】
また、この発明の態様として、前記芯部材を、該芯部材の上端部から下端部に向けて徐々に大きくなる形状に形成することができる。  
上記構成によれば、芯部材を、例えば円錐台形状、円錐形状、四角錘形状等の形状に形成することができる。  
つまり、前記開口部の上端側と対応する芯部材の上端部を小径に形成しているので、芯部材の上端部と対応する開口部の開口面積を大きくすることができる。  
これにより、柱頭リングの開口部から光を効率よく採光することができる。
【００１２】
また、この発明の態様として、前記柱頭リングよりも下方の前記支柱の外周に、該柱頭リングの下面側に向けて前記支柱と同心状にリング状の照明手段を設けることができる。  
上記構成によれば、照明手段から投光される光は、柱頭リングに開口された開口部の内周面によって上方及び下方に向けて反射される。  
これにより、照明手段から投光される光によって柱頭リングの上方及び下方を明るく照らすことができる。
【発明の効果】
【００１３】
この発明によれば、スラブの施工角度に応じて、スラブ支持構造を構成する支柱の上端部に対し柱頭リングを所望する方向及び角度に向けて固定する。つまり、柱頭リングの大きさや形状を変更する必要がなく、柱頭リングの強度が部分的に弱くなることがないので、柱頭リングの構造的強度を一定に保つことができる。  
これにより、スラブを支持した際に付加される応力が柱頭リングの一部に集中することがなく、柱頭リングの全体に対し分散して付加されるので、スラブを支持するための強度を保つことができるとともに、スラブに応じた角度で該スラブを安定して支持することができる。また、通常は柱と柱の間でしか設けることができなかったスラブの開口部を、柱の真上で設けることが可能になり、建築のデザインの可能性が広がる。
【図面の簡単な説明】
【００１４】
【図１】本実施形態のスラブ支持構造によるスラブの支持状態を示す断面図。
【図２】支柱と柱頭リングとを連結する第１の連結構造を示す拡大断面図。
【図３】柱頭リングの構造を示すＡ−Ａ線矢視断面図。
【図４】透過板を取り除いた柱頭リングの構造を示す斜視図。
【図５】支柱と柱頭リングとを連結する第２の連結構造を示す拡大断面図、フックの取り付け状態を示すＢ−Ｂ線矢視断面図。
【図６】支柱と柱頭リングとを連結する第３の連結構造を示す拡大断面図。
【図７】支柱と柱頭リングとを連結する第４の連結構造を示す拡大断面図。
【図８】支柱と柱頭リングとを連結する第５の連結構造を示す拡大断面図。
【発明を実施するための形態】
【００１５】
この発明の一実施形態を以下図面に基づいて詳述する。  
図１は本実施形態のスラブ支持構造１０によるスラブＢの支持状態を示す断面図、図２は支柱２０と柱頭リング３０とを連結する第１の連結構造を示す拡大断面図、図３は柱頭リング３０の組み付け構造を示すＡ−Ａ線矢視断面図、図４は透過板５０を取り除いた柱頭リング３０の構造を示す斜視図である。
【００１６】
本実施形態のスラブ支持構造１０は、図示しない建物の基礎部Ａに固定される管状の支柱２０と、該支柱２０の上端部（頭部）に固定された柱頭リング３０とで構成している（図１、図２参照）。
【００１７】
支柱２０は、全長が同一の外径及び内径に形成された中空の鋼管で構成している。また、支柱２０の下端部には、コンクリート製の基礎部Ａに対し固定される固定板２１を溶接している。なお、支柱２０は中空の鋼管だけでなく、あらゆる断面形状の鋼材に対応することができる。
【００１８】
固定板２１は、該固定板２１の裏面を基礎部Ａの上面に押し当てられ、基礎部Ａの上面に埋設された複数本のアンカーボルト２２で固定される。  
これにより、支柱２０が、基礎部Ａに対し垂直に起立した姿勢に固定される。
【００１９】
なお、本実施形態において、支柱２０の下端部及び固定板２１及びアンカーボルト２２はコンクリートで覆っているが、ただし設計条件によっては必ずしも覆う必要はない。  
また、基礎部Ａの上方に設置された建物の床部Ｃには、支柱２０の挿通が許容される孔部Ｃａを形成している。この孔部Ｃａには、基礎部Ａに固定した支柱２０が垂直に挿通される。  
さらに、孔部Ｃａの周囲上面には、該孔部Ｃａを中心として空調用の換気孔Ｃｂが複数形成されている。
【００２０】
支柱２０の上端部には、後述する柱頭リング３０の芯部材３５を受けるための受け部２３を溶接している。受け部２３の上面側中央部には、後述する突出部３６の凸状押当て面３７と合致する半球形状の凹状受け面２４を形成している。また、凹状受け面２４の受け面は、突出部３６の凸状押当て面３７と対応する曲率半径で滑らかな曲面に形成している。  
実施形態の受け部２３は、支柱２０の外径と同径に形成しているが、支柱２０の外径より多少大径であってもよい。
【００２１】
柱頭リング３０は、リング状に形成された一対の平板３１と、筒状に形成された円筒板３２と、円錐台形状に形成された円錐板３３と、横長矩形状に形成された支持板３４と、円錐台形状に形成された中実の芯部材３５とで構成している（図２〜図４参照）。
【００２２】
なお、平板３１及び円筒板３２、円錐板３３、支持板３４は、鋼板で構成している。また、実施形態において芯部材３５は、中実の鋼材で構成しているが、中空の鋼管を用いてもよい。
【００２３】
一対の平板３１は、上方から見て丸形のリング形状に形成され、同一の外径及び内径に形成している。また、平板３１の上面側中央部には、後述する円筒板３２の内径と同径（孔径２ｍ）の丸孔３１ａを形成している。
【００２４】
円筒板３２は、上方から見て筒状に形成され、上端側開口部から下端側開口部に向けて同径に形成している。また、円筒板３２の内径は、平板３１の丸孔３１ａと同径に形成している。  
円錐板３３は、上端部から下端部に向けて徐々に大径となる円錐台形状（又はコーン形状）に形成している。また、円錐板３３の上端側開口部は、円筒板３２の内径に対し１／２の直径に形成している。また、下端側開口部は、円筒板３２の内径と同径に形成している。  
なお、本実施形態において、円錐板３３は、厚さ４．５ｍｍの薄い鉄板で形成している。
【００２５】
支持板３４は、一対の平板３１を円筒板３２の上下端部に重ね合せてなる高さと対応する幅で、平板３１の外径（直径）と同一の長さに形成している。
【００２６】
芯部材３５は、上端部から下端部に向けて徐々に大径となる円錐台形状に形成している。また、芯部材３５の下端部は、支柱２０（あるいは受け部２３）の外径よりも小径に形成している。さらにまた、芯部材３５の全長は、柱頭リング３０の上面側開口部より上方に突出する長さに形成している。
【００２７】
さらに、芯部材３５の下端部には、上述の受け部２３に対し嵌合される突出部３６を形成している。突出部３６の下端面には、受け部２３の凹状受け面２４と合致する半球形状の凸状押当て面３７を形成している。また、凸状押当て面３７の突出面は、受け部２３の凹状受け面２４と対応する曲率半径で滑らかな曲面に形成している。
【００２８】
次に、一対の平板３１と、円筒板３２と、複数の支持板３４と、芯部材３５とで構成される柱頭リング３０の組み立て方を説明する。  
先ず、一対の平板３１は、円筒板３２の上端側開口部と下端側開口部とにそれぞれ押し当てられ、平板３１と円筒板３２とを同心状となるように位置合わせしている。また、平板３１の丸孔３１ａの内周縁部は、円筒板３２の上端側開口部と下端側開口部とにそれぞれ溶接している。  
これにより、一対の平板３１と円筒板３２を溶接してなる断面形状は、内周面及び上下面が閉塞され、外周面が外方に向けて開口された断面形状に形成している。
【００２９】
円錐板３３は、上端部が上向きで下端部が下向きとなる姿勢に保持して円筒板３２の内側中央部（後述する窓部３０ａの中央部）に配置している。また、芯部材３５は、円筒板３２の中心部に配置している。  
さらにまた、支持板３４は、平板３１又は円筒板３２の中心部で互いに交差させて、芯部材３５を中心として周方向に対し等角度を隔てて放射状に配列している。
【００３０】
この後、一対の平板３１及び円筒板３２と、円錐板３３と、支持板３４と、芯部材３５とが互いに接する部分をそれぞれ溶接している。これにより、柱頭リング３０の組み立てが完了する（図２〜図４参照）。
【００３１】
なお、支持板３４により６等分に分割された一対の平板３１の対向面間には、芯部材３５を中心として放射状に配列した板状の補強リブ３８を溶接している。また、補強リブ３８により２分割された下側平板３１の上面には、２本のスタッド３９をそれぞれ溶接している。  
さらに、柱頭リング３０の中央部（円錐板３３の内部）には、芯部材３５を中心として、上方から見て丸形状の窓部３０ａを上下方向に開口している。  
さらにまた、柱頭リング３０の上面側には、上側平板３１の丸孔３１ａより上方に突出された円錐板３３の上端側開口部を除いて、柱頭リング３０の上側全体が覆われる大きさ及び形状に形成したリング状の薄い鉄板製の隠蔽板３０ｂを固定している。
【００３２】
次に、支柱２０と柱頭リング３０とを、上述の受け部２３と突出部３６とで構成される第１の連結構造により連結する方法を説明する。  
先ず、支柱２０の受け部２３と、柱頭リング３０の芯部材３５の突出部３６とを嵌合し、受け部２３の凹状受け面２４と突出部３６の凸状押当て面３７とを回動自在に合致した後、その受け部２３と突出部３６との嵌合部分を中心として、柱頭リング３０を所望する傾き方向及び傾き角度に回動する。
【００３３】
柱頭リング３０を、コンクリートで構築されるスラブＢの施工角度、すなわち、スラブＢの勾配と対応する傾き方向及び傾き角度に回動調節した後、受け部２３と突出部３６とを一体的に溶接する（図２参照）。  
なお、受け部２３と突出部３６を溶接する作業は、スラブＢを構築するコンクリートの打ち込み作業が完了した後、そのコンクリートを支持する型枠の撤去作業が完了してから実施するものとする。  
また、本実施形態において、受け部２３と突出部３６とを溶接しているが、ただし設計条件によっては溶接を必要としない場合もある。
【００３４】
本実施形態のスラブ支持構造１０により図示しない建物の天井部を構築するコンクリート製のスラブＢを支持する方法を説明する。
【００３５】
先ず、支柱２０の受け部２３と柱頭リング３０の突出部３６とを嵌合して仮止め固定した後、柱頭リング３０が仮止め固定された支柱２０を、建物の基礎部Ａに対し垂直に起立した姿勢に固定する。また、仮止め固定された柱頭リング３０を、施工されるスラブＢの勾配と対応する傾き方向及び傾き角度に回動調節する（図１参照）。
【００３６】
上述と同様にして、柱頭リング３０が仮止め固定された支柱２０を、建物内部に対し所定の間隔を隔てて複数本配置するか、人の動線と視線とが妨げられないように所望する間隔を隔ててランダムに配置する。
【００３７】
次に、柱頭リング３０を中心として、該柱頭リング３０の周囲に対し鉄筋Ｄを放射状或いは格子状に配筋するとともに、該柱頭リング３０の外周部に対し鉄筋Ｄ…を溶接する。この後、柱頭リング３０の下側平板３１に沿って架設された図示しない天井部用型枠の上にコンクリートを打ち込む。
【００３８】
上述の天井部のコンクリートが固まった後、そのコンクリートを支持する型枠を撤去する。この後、受け部２３と突出部３６とを一体的に溶接して、柱頭リング３０を、スラブＢの勾配と対応する傾き方向及び傾き角度で固定する（図２参照）。  
なお、本実施形態では、スラブＢの一般部の厚さは３５０ｍｍ、せん断力と曲げモーメントが集中する開口部の周辺の厚さは５２０ｍｍ、その外側半径２．５ｍの範囲の厚さは４２０ｍｍとしている。
【００３９】
上述のようにしてスラブ支持構造１０を建物内部に設置することにより、図示しない建物の天井部を構築するスラブＢを勾配が付いた状態に支持することができる（図１参照）。
【００４０】
また、スラブ支持構造１０の他の設置方法として、例えば柱頭リング３０を、支柱２０の上端部に対しスラブＢの勾配と対応する傾き方向及び傾き角度に固定した後、柱頭リング３０が固定された支柱２０を、建物内部に対し所定の間隔を隔てて複数本配置するか、所望する間隔を隔ててランダムに配置してもよい。
【００４１】
あるいは、施工現場において、支柱２０を、基礎部Ａに対し垂直に起立した姿勢に固定し、その支柱２０の受け部２３に柱頭リング３０の突出部３６を上方から嵌合して仮止め固定した後、柱頭リング３０を、スラブＢの勾配と対応する傾き方向及び傾き角度に回動調節してもよい。
【００４２】
上述と同様にして、図示しない天井部用型枠に沿って打ち込まれたコンクリートが固まった後、その天井部用型枠を撤去し、受け部２３と突出部３６とを一体的に溶接するので、柱頭リング３０を、スラブＢの勾配と対応する傾き方向及び傾き角度で固定することができる。
【００４３】
なお、支柱２０を、基礎部Ａに対し垂直に起立した姿勢に固定した後、支柱２０の受け部２３と柱頭リング３０の突出部３６とを嵌合して、柱頭リング３０を、スラブＢの勾配と対応する傾き方向及び傾き角度に予め固定しておいてもよい。
【００４４】
以上のように、スラブＢの施工角度（勾配）に応じて、スラブ支持構造１０を構成する支柱２０の上端部に対し柱頭リング３０を所望する傾き方向及び傾き角度で固定する。つまり、柱頭リング３０の大きさや形状を変更する必要がなく、柱頭リング３０の強度が部分的に弱くなることがないので、柱頭リング３０の構造的強度を一定に保つことができる。  
これにより、スラブＢを支持した際の応力が柱頭リング３０の一部に集中することがなく、柱頭リング３０の全体に対し分散して付加されるので、スラブＢを支持するための強度を保つことができるとともに、スラブＢの勾配に対応した方向及び角度で該スラブＢを安定して支持することができる。また、通常は柱と柱の間でしか設けることができなかったスラブＢの開口部を、柱の真上で設けることが可能になり、建築のデザインの可能性が広がる。
【００４５】
また、柱頭リング３０を、スラブＢが支持される方向及び角度で固定することができるので、スラブ支持構造１０を、例えばフラットなスラブ等を支持するための構造として用いることができ、勾配付きのスラブＢのみに用途が限定されるものではない。
【００４６】
また、柱頭リング３０は、建物のスラブＢを支柱２０により支持するためのキャピタル（柱頭躯体補強体）として、さらに、スラブＢの柱頭リング３０が埋め込まれた部分（開口部）を補強するための埋め込み部補強体として、さらにまた、建物外部の光を該建物内部に採光するためのトップライト（窓部）として兼用することができる。
【００４７】
また、柱頭リング３０の窓部３０ａの上端側開口部と対応する芯部材３５の上端部を小径に形成しているので、窓部３０ａの上端側開口部の開口面積を大きくすることができる。  
これにより、柱頭リング３０の窓部３０ａから光が効率よく採光されるので、建物の内部を明るく照らすことができる（図１、図２参照）。
【００４８】
また、柱頭リング３０の窓部３０ａから採光された光は、円錐板３３の内側テーパー面と、放射状に配列された支持板３４…とによって建物の内部に向けて反射される。  
これにより、建物の内部を、柱頭リング３０の窓部３０ａから採光される光を利用して明るく照らすことができるので、照明装置４０の明るさを調節して、照明の消費電力を低く抑えることができるとともに、省エネが図れる。
【００４９】
また、柱頭リング３０の窓部３０ａ上面には、上方から見て丸形状に形成された透光性を有する透過板５０を取り付けている（図１、図２参照）。  
透過板５０は、例えばガラス、プラスチック等の透光性を有する材質により窓部３０ａの上面全体が覆われる大きさ及び形状に形成しているので、窓部３０ａの採光性を妨げることなく、スラブＢ上に敷設された敷設物（例えば砂、石、植物等）、あるいは、歩行者の持ち物（例えば携帯、鞄、財布等）が建物の内部に落下するのを防止することができる。
【００５０】
また、柱頭リング３０よりも下方の支柱２０の外周には、該支柱２０と同心状にリング状の照明装置４０を取り付けている（図１参照）。  
照明装置４０は、支柱２０と同心状に吊設されるリング状の支持枠４１と、該支持枠４１を吊設するための吊り棒４２と、図示しない電源に接続されたＬＥＤ発光素子４３とで構成している。
【００５１】
吊り棒４２は、支柱２０を中心として周方向に等間隔を隔てて複数配列している。また、吊り棒４３の上端は支柱２０の外周面に連結し、該吊り棒４３の下端は支持枠４１の内周縁に連結している。
【００５２】
つまり、照明装置４０を、支柱２０を中心として該支柱２０と同心状に吊設するともに、人の通行が妨げられない高さに吊設している。
【００５３】
ＬＥＤ発光素子４３は、支持枠４１の上面に沿って周方向に対し等間隔を隔てて複数配列している。また、ＬＥＤ発光素子４３は、柱頭リング３０の下面側に向けて光が照射される方向に取り付けている。
【００５４】
つまり、照明装置４０のＬＥＤ発光素子４３から投光される光は、柱頭リング３０の窓部３０ａ内に配置した円錐板３３のテーパー面によって反射される。その円錐板３３のテーパー面に照射された一部の光は建物の内部に向けて反射され、残りの光は建物の外部に向けて反射される。  
これにより、建物の内部と外部（柱頭リング３０の周辺）とを明るく照らすことができる。  
なお、ＬＥＤ発光素子４３の代わりに、例えば蛍光灯、白熱灯、電球等を用いてもよい。
【００５５】
図５の（ａ）は支柱２０と柱頭リング３０（芯部材３５）とを連結する第２の連結構造を示す拡大断面図、同図の（ｂ）はフック６２の取り付け状態を示すＢ−Ｂ線矢視断面図である。  
本例の連結構造は、支柱２０の上端部に固定された保持部６０と、芯部材３５の下端部に形成又は固定された滑らから曲面を有する弧形状の突出部６３とで構成している。
【００５６】
保持部６０は、支柱２０の上端部に固定された平面から見て丸形状の受け部６１と、該受け部６１の外周面に固定される複数のフック６２とで構成している。  
受け部６１の上面は、スラブＢの勾配と対応する傾き方向及び傾き角度に傾斜している。また、その上面側中央部には、突出部６３の凸状押当て面６３ａに対し合致される滑らかな曲面を有する弧形状の凹状受け面６１ａを形成している。
【００５７】
突出部６３の下部周面には、受け部６１の凹状受け面６１ａに対し合致される滑らかな曲面を有する弧形状の凸状押当て面６３ａを形成している。また、芯部材３５と突出部６３との境目部外周面には、該突出部６３の外周面に沿って環状の鍔部６３ｂを形成している。
【００５８】
つまり、保持部６０の受け部６２の凹状受け面６２ａを、芯部材３５の突出部６３の凸状押当て面６３ａに合致した後、フック６２を、突出部６３の鍔部６３ｂに対し係止される方向に向けて受け部６１の外周面にボルト６４で固定するとともに、受け部６１の外周面に沿って周方向に等間隔を隔てて４箇所取り付ける（図５中のｂ参照）。
【００５９】
受け部６１の外周面に固定された各フック６２を突出部６３の鍔部６３ｂに対し係止するので、支柱２０の上端部を柱頭リング３０の芯部材３５に対し回動自在に連結することができる。  
これにより、柱頭リング３０を、スラブＢの勾配に応じて所望する傾き方向及び傾き角度に回動調節することができ、前記実施形態と略同等の作用及び効果を奏することができる。
【００６０】
また、保持部６０と突出部６３とを一体的に溶接すれば、柱頭リング３０を、スラブＢの勾配と対応する傾き方向及び傾き角度で固定することができる。  
さらに、柱頭リング３０を所望する方向へ傾けた際、傾けた方向と相反する位置に固定したフック６２が突出部６３の鍔部６３ｂに係止され回動規制するので、柱頭リング３０を、予め定められた回動範囲内で所望する傾き方向及び傾き角度に回動することができる。
【００６１】
さらにまた、施工現場で支柱２０を立てる際、支柱２０と柱頭リング３０とが外れることがなく、支柱２０及び柱頭リング３０を連結したまま一つの構造物として取り扱うことができるので、運搬や施工等の作業が簡単且つ容易に行える。  
なお、受け部６１の高位側外周面に取り付けられるフック６２は、低位側外周面に取り付けられるフック６２より長尺に形成している。また、受け部６１の平面から見た形状は、例えば正方形、五角形、六角形等の形状に形成してもよい。
【００６２】
図６は、支柱２０と柱頭リング３０（芯部材３５）とを連結する第３の連結構造を示す拡大断面図である。  
本例の連結構造は、支柱２０の上端部に固定された半球形状を有する凸状の受け部７０と、芯部材３５の下端部に固定された凹状の押え部７１と、受け部７０と押え部７１とを連結する長尺のボルト７２及びナット７３で構成している。
【００６３】
受け部７０の上面には、押え部７１の凹状受け面７１ａに対し合致される滑らかな曲面を有する半球形状の凸状受け面７０ａを形成している。  
押え部７１の下面には、受け部７０の凸状受け面７０ａに対し合致される滑らかな曲面を有する弧形状の凹状受け面７１ａを形成している。
【００６４】
つまり、受け部７０の凸状受け面７０ａを、押え部７１の凹状受け面７１ａに合致した後、長尺のボルト７２を芯部材３５の上端側中心部から下端側中心部に向けて挿通する。
【００６５】
さらに、受け部７０及び押え部７１の中心部に挿通して、受け部７０の下面側中心部に装着されたナット７３に螺合して締付け固定するので、支柱２０の上端部を柱頭リング３０の芯部材３５に対し回動自在に連結することができる。  
これにより、柱頭リング３０を、スラブＢの勾配に応じて所望する傾き方向及び傾き角度に回動調節することができ、前記実施形態と略同等の作用及び効果を奏することができる。
【００６６】
また、受け部７０と押え部７１とを一体的に溶接すれば、柱頭リング３０を、スラブＢの勾配と対応する傾き方向及び傾き角度で固定することができる。  
さらにまた、施工現場で支柱２０を立てる際、支柱２０と柱頭リング３０とが外れることがなく、支柱２０及び柱頭リング３０を連結したまま一つの構造物として取り扱うことができるので、運搬や施工等の作業が簡単且つ容易に行える。
【００６７】
図７は、支柱２０と柱頭リング３０（芯部材３５）とを連結する第４の連結構造を示す拡大断面図である。  
本例の連結構造は、支柱２０の上端部に固定された球体保持部８０と、芯部材３５の下端部に形成された球体部８３とで構成している。  
球体保持部８０は、支柱２０の上端部に固定された球体受け部８１と、該球体受け部８１の上面に固定されるリング状の球体押え部８２とで構成している。
【００６８】
球体受け部８１の上面及び球体押え部８２の下面は、スラブＢの勾配と対応する傾き方向及び傾き角度に傾斜している。また、球体受け部８１の上面側中央部には、球体部８３の球面８３ａに対し合致される滑らかな曲面を有する半球形状の受け面８１ａを形成している。
【００６９】
球体押え部８２の下面側中央部には、芯部材３５を中心として球体部８３の球面８３ａに対し合致される滑らかな曲面を有する押え面８２ａを形成している。
【００７０】
つまり、球体受け部８１の受け面８１ａを、球体部８３の球面８３ａの下側周面に合致した後、芯部材３５の下端側周面に遊嵌された球体押え部８２を球体受け部８１の上面に嵌合して、球体押え部８２の押え面８２ａを、球体部８３の球面８３ａの上側周面に合致する。
【００７１】
この後、球体受け部８１と球体押え部８２とを複数本のボルト８４により一体的に締付け固定するので、支柱２０の上端部を柱頭リング３０の芯部材３５に対し回動自在に連結することができる。  
これにより、柱頭リング３０を、スラブＢの勾配に応じて所望する傾き方向及び傾き角度に回動調節することができ、前記実施形態と略同等の作用及び効果を奏することができる。
【００７２】
また、球体保持部８０（球体押え部８２）と芯部材３５又は球体部８３とを一体的に溶接すれば、柱頭リング３０を、スラブＢの勾配と対応する傾き方向及び傾き角度で固定することができる。
【００７３】
さらにまた、施工現場で支柱２０を立てる際、支柱２０と柱頭リング３０とが外れることがなく、支柱２０及び柱頭リング３０を連結したまま一つの構造物として取り扱うことができるので、運搬や施工等の作業が簡単且つ容易に行える。  
なお、球体押え部８２を周方向に等分割して球体受け部８１の上面に固定してもよい。
【００７４】
図８は、支柱２０と柱頭リング３０（芯部材３５）とを連結する第５の連結構造を示す断面図である。  
本例の連結構造は、支柱２０の上端部と芯部材３５の下端部とをスラブＢの勾配と対応する傾き方向及び傾き角度で互いに当接して直接溶接している。
【００７５】
これにより、柱頭リング３０を、スラブＢの勾配と対応する傾き方向及び傾き角度で固定することができ、前記実施形態と略同等の作用及び効果を奏することができる。
【００７６】
この発明の構成と、前記実施形態との対応において、  
この発明の凹部は、実施形態の受け部２３，６１と、凹状の押え部７１と、球体保持部８０に対応し、  
以下同様に、  
凸部は、突出部３６，６３と、凸状の受け部７０と、球体部８３に対応し、  
開口部は、窓部３０ａに対応し、  
照明手段は、照明装置４０に対応するも、  
この発明は、上述の実施形態の構成のみに限定されるものではなく、請求項に示される技術思想に基づいて応用することができ、多くの実施の形態を得ることができる。
【００７７】
実施形態のスラブ支持構造１０は、例えば柱頭リング３０を支柱２０の上端部に対し水平に固定すれば、フラットなスラブＢを支持するための構造としても用いることができる。
【符号の説明】
【００７８】
Ａ…基礎部
Ｂ…スラブ
１０…スラブ支持構造
２０…支柱
２１…固定板
２２…アンカーボルト
２３…受け部
２４…凹状受け面
３０…柱頭リング
３０ａ…窓部
３１…平板
３２…円筒板
３３…円錐板
３４…支持板
３５…芯部材
３６…突出部
３７…凸状押当て面
３８…補強リブ
３９…スタッド
６０…保持部
６１…受け部
６１ａ…凹状受け面
６２…フック
６３…突出部
６３ａ…凸状押当て面
６３ｂ…鍔部
６４…ボルト
７０…受け部
７０ａ…凸状受け面
７１…押え部
７１ａ…凹状受け面
７２…ボルト
７３…ナット
８０…球体保持部
８１…球体受け部
８１ａ…受け面
８２…球体押え部
８２ａ…押え面
８３…球体部
８３ａ…球面
８４…ボルト
【図１】
2012012857.tif 000003
【図２】
2012012857.tif 000004
【図３】
2012012857.tif 000005
【図４】
2012012857.tif 000006
【図５】
2012012857.tif 000007
【図６】
2012012857.tif 000008
【図７】
2012012857.tif 000009
【図８】
2012012857.tif 000010